(57)【要約】      （修正有）【課題】免許不要帯域でのロング・ターム・エボリューション（ＬＴＥ）／ＬＴＥアドバンスト（ＬＴＥ−Ａ）システムのための再同期手順の管理方法を提供する。【解決手段】基地局は、選択されるアップリンクおよび／またはダウンリンク再同期手順の有効化指示を選択および送信する。基地局は、自身で、または近隣の基地局との協調において、再同期手順を選択し得る。アップリンク再同期手順のための指示がユーザ機器（ＵＥ）において受信されると、ＵＥは、自身の拡張クリアチャネル判定（ＥＣＣＡ）チェックを実行するが、ＥＣＣＡチェックが成功である場合に、ＵＥは、選択されたアップリンク再同期手順によって定められる次の再同期境界までデータの送信を遅延させる。アイドル期間後も依然として送信のためにチャネルが空いているか否かを決定するために、ＵＥは、再同期境界後の送信に先立って、クリアチャネル判定（ＣＣＡ）チェックを実行する。【選択図】図９
2020113999.tif 000002
【特許請求の範囲】
【請求項１】
ワイヤレス通信の方法であって、
ユーザ機器（ＵＥ）において、免許不要帯域において使用するためのアップリンク再同期手順を特定する指示を受信することと、
前記ＵＥによって、送信のためのデータを検出したことに応答して、拡張クリアチャネル判定（ＥＣＣＡ）チェックを実行することと、
前記ＵＥによって、前記アップリンク再同期手順において定められる再同期境界よりも前に前記ＥＣＣＡチェックを成功裏に完了したことに応答して、送信を遅らせることと、
前記ＵＥによって、前記再同期境界に先立つサブフレームにおいて、クリアチャネル判定（ＣＣＡ）チェックを実行することと、
前記ＵＥによって、前記ＣＣＡチェックを成功裏に完了したことに応答して、前記再同期境界において始まる前記データを送信することと、
を備える方法。
【請求項２】
前記指示は、フレームまたはサブフレームのうちの一方に関する前記アップリンク再同期手順の使用を示す、請求項１に記載の方法。
【請求項３】
前記指示は、
システム報知メッセージを通じて、
半静的なシグナリングを通じて、または
動的なシグナリングを通じて
のうちの１つで受信される、請求項１に記載の方法。
【請求項４】
前記指示は、ＵＥ固有のサーチ空間を通じて受信される、請求項１に記載の方法。
【請求項５】
前記ＵＥによって、前記指示の受信後に後続のフレームにおいて後続の状態指示を受信すること、ここにおいて、前記後続の状態指示は、前記アップリンク再同期手順の非アクティブ化を示す、
をさらに含む、請求項１に記載の方法。
【請求項６】
前記指示は、単一のフレーム内に２つ以上の再同期境界を有する前記アップリンク再同期手順の構成に対応する、請求項１に記載の方法。
【請求項７】
前記アップリンク再同期手順の前記構成は、前記ＵＥへと関連付けられて割り当てられたアップリンク／ダウンリンクサブフレーム構成に対応する、請求項６に記載の方法。
【請求項８】
前記ＵＥによって、第１のアップリンクサブフレームの後の前記単一のフレーム内に定められた１つ以上の再同期境界に先立つ所定の持続時間について送信を控えるように前記ＵＥに示すアイドル指示を受信すること、
をさらに含む、請求項６に記載の方法。
【請求項９】
ワイヤレス通信のために構成された装置であって、
ユーザ機器（ＵＥ）において、免許不要帯域において使用するためのアップリンク再同期手順を特定する指示を受信するための手段と、
前記ＵＥによって、送信のためのデータを検出したことに応答して、拡張クリアチャネル判定（ＥＣＣＡ）チェックを実行するための手段と、
前記ＵＥによって、前記アップリンク再同期手順において定められる再同期境界よりも前に前記ＥＣＣＡチェックを成功裏に完了したことに応答して、送信を遅らせるための手段と、
前記ＵＥによって、前記再同期境界に先立つサブフレームにおいて、クリアチャネル判定（ＣＣＡ）チェックを実行するための手段と、
前記ＵＥによって、前記ＣＣＡチェックを成功裏に完了したことに応答して、前記再同期境界において始まる前記データを送信するための手段と、
を備える装置。
【請求項１０】
前記指示は、フレームまたはサブフレームのうちの一方に関する前記アップリンク再同期手順の使用を示す、請求項９に記載の装置。
【請求項１１】
前記指示は、
システム報知メッセージを通じて、
半静的なシグナリングを通じて、または
動的なシグナリングを通じて
のうちの１つで受信される、請求項９に記載の装置。
【請求項１２】
前記指示は、ＵＥ固有のサーチ空間を通じて受信される、請求項９に記載の装置。
【請求項１３】
前記ＵＥによって、前記指示を受信するための手段の後に後続のフレームにおいて後続の状態指示を受信するための手段、ここにおいて、前記後続の状態指示は、前記アップリンク再同期手順の非アクティブ化を示す、
をさらに含む、請求項９に記載の装置。
【請求項１４】
前記指示は、単一のフレーム内に２つ以上の再同期境界を有する前記アップリンク再同期手順の構成に対応する、請求項９に記載の装置。
【請求項１５】
プログラムコードが記録された非一時的なコンピュータ読取可能な媒体であって、
前記プログラムコードは、
コンピュータに、ユーザ機器（ＵＥ）において、免許不要帯域において使用するためのアップリンク再同期手順を特定する指示を受信させるためのプログラムコードと、      前記コンピュータに、前記ＵＥによって、送信のためのデータを検出したことに応答して、拡張クリアチャネル判定（ＥＣＣＡ）チェックを実行させるためのプログラムコードと、
前記コンピュータに、前記ＵＥによって、前記アップリンク再同期手順において定められる再同期境界よりも前に前記ＥＣＣＡチェックを成功裏に完了したことに応答して、送信の遅延を生じさせるためのプログラムコードと、
前記コンピュータに、前記ＵＥによって、前記再同期境界に先立つサブフレームにおいて、クリアチャネル判定（ＣＣＡ）チェックを実行させるためのプログラムコードと、
前記コンピュータに、前記ＵＥによって、前記ＣＣＡチェックを成功裏に完了したことに応答して、前記再同期境界において始まる前記データを送信させるためのプログラムコードと、
を備える、非一時的なコンピュータ読取可能な媒体。
【請求項１６】
前記指示は、フレームまたはサブフレームのうちの一方に関する前記アップリンク再同期手順の使用を示す、請求項１５に記載の非一時的なコンピュータ読取可能な媒体。
【請求項１７】
前記指示は、
システム報知メッセージを通じて、
半静的なシグナリングを通じて、または
動的なシグナリングを通じて
のうちの１つで受信される、請求項１５に記載の非一時的なコンピュータ読取可能な媒体。
【請求項１８】
前記指示は、ＵＥ固有のサーチ空間を通じて受信される、請求項１５に記載の非一時的なコンピュータ読取可能な媒体。
【請求項１９】
前記コンピュータに、前記ＵＥによって、前記指示の受信後に後続のフレームにおいて後続の状態指示を受信させるためのプログラムコード、ここにおいて、前記後続の状態指示は、前記アップリンク再同期手順の非アクティブ化を示す、
をさらに含む、請求項１５に記載の非一時的なコンピュータ読取可能な媒体。
【請求項２０】
前記指示は、単一のフレーム内に２つ以上の再同期境界を有する前記アップリンク再同期手順の構成に対応する、請求項１５に記載の非一時的なコンピュータ読取可能な媒体。
【請求項２１】
前記アップリンク再同期手順の前記構成は、前記ＵＥへと関連付けられて割り当てられたアップリンク／ダウンリンクサブフレーム構成に対応する、請求項２０に記載の非一時的なコンピュータ読取可能な媒体。
【請求項２２】
前記コンピュータに、前記ＵＥによって、第１のアップリンクサブフレームの後の前記単一のフレーム内に定められた１つ以上の再同期境界に先立つ所定の持続時間について送信を控えるように前記ＵＥに示すアイドル指示を受信させるためのプログラムコード、
をさらに含む、請求項２０に記載の非一時的なコンピュータ読取可能な媒体。
【請求項２３】
ワイヤレス通信のために構成された装置であって、
少なくとも１つのプロセッサと、
前記少なくとも１つのプロセッサに接続されたメモリと
を備えており、
ここにおいて、前記少なくとも１つのプロセッサは、
ユーザ機器（ＵＥ）において、免許不要帯域において使用するためのアップリンク再同期手順を特定する指示を受信し、
前記ＵＥによって、送信のためのデータを検出したことに応答して、拡張クリアチャネル判定（ＥＣＣＡ）チェックを実行し、
前記ＵＥによって、前記アップリンク再同期手順において定められる再同期境界よりも前に前記ＥＣＣＡチェックを成功裏に完了したことに応答して、送信を遅らせ、
前記ＵＥによって、前記再同期境界に先立つサブフレームにおいて、クリアチャネル判定（ＣＣＡ）チェックを実行し、
前記ＵＥによって、前記ＣＣＡチェックを成功裏に完了したことに応答して、前記再同期境界において始まる前記データを送信する、
ように構成されている、装置。
【請求項２４】
前記指示は、フレームまたはサブフレームのうちの一方に関する前記アップリンク再同期手順の使用を示す、請求項２３に記載の装置。
【請求項２５】
前記指示は、
システム報知メッセージを通じて、
半静的なシグナリングを通じて、または
動的なシグナリングを通じて
のうちの１つで受信される、請求項２３に記載の装置。
【請求項２６】
前記指示は、ＵＥ固有のサーチ空間を通じて受信される、請求項２３に記載の装置。
【請求項２７】
前記ＵＥによって、前記指示の受信後に後続のフレームにおいて後続の状態指示を受信するための前記少なくとも１つのプロセッサの構成、ここにおいて、前記後続の状態指示は、前記アップリンク再同期手順の非アクティブ化を示す、
をさらに含む、請求項２３に記載の装置。
【請求項２８】
前記指示は、単一のフレーム内に２つ以上の再同期境界を有する前記アップリンク再同期手順の構成に対応する、請求項２３に記載の装置。
【請求項２９】
前記アップリンク再同期手順の前記構成は、前記ＵＥへと関連付けられて割り当てられたアップリンク／ダウンリンクサブフレーム構成に対応する、請求項２８に記載の装置。
【請求項３０】
前記ＵＥによって、第１のアップリンクサブフレームの後の前記単一のフレーム内に定められた１つ以上の再同期境界に先立つ所定の持続時間について送信を控えるように前記ＵＥに示すアイドル指示を受信するための前記少なくとも１つのプロセッサの構成、
をさらに含む、請求項２８に記載の装置。
【発明の詳細な説明】
【技術分野】
【０００１】
関連出願
[0001]本出願は、２０１４年８月２９日に出願された「ＲＥ−ＳＹＮＣＨＲＯＮＩＺＡＴＩＯＮ  ＭＡＮＡＧＥＭＥＮＴ  ＩＮ  ＬＴＥ／ＬＴＥ−Ａ  ＷＩＴＨ  ＵＮＬＩＣＥＮＳＥＤ  ＳＰＥＣＴＲＵＭ」という名称の米国特許仮出願第６２／０４３，６３４号および２０１５年８月１３日に出願された「ＲＥ−ＳＹＮＣＨＲＯＮＩＺＡＴＩＯＮ  ＭＡＮＡＧＥＭＥＮＴ  ＩＮ  ＬＴＥ／ＬＴＥ−Ａ  ＷＩＴＨ  ＵＮＬＩＣＥＮＳＥＤ  ＳＰＥＣＴＲＵＭ」という名称の米国特許出願第１４／８２５，８４３号の利益を主張し、これらの出願は、この全体が本明細書において明示的に援用される。
【０００２】
[0002]本開示の態様は、広くには、ワイヤレス通信システムに関し、より詳細には、免許不要帯域（unlicensed spectrum）でのロング・ターム・エボリューション（ＬＴＥ（登録商標））／ＬＴＥアドバンスト（ＬＴＥ−Ａ）における再同期管理（re-synchronization management）に関する。
【背景技術】
【０００３】
[0003]ワイヤレス通信ネットワークが、音声、映像、パケットデータ、メッセージング、放送、などの種々の通信サービスを提供するために、広く展開されている。これらのワイヤレスネットワークは、利用可能なネットワークリソースを共有することによって複数のユーザをサポートすることができる多重アクセスネットワークであり得る。通常は多重アクセスネットワークであるこのようなネットワークは、利用可能なネットワークリソースを共有することによって複数のユーザのための通信をサポートする。このようなネットワークの一例は、ユニバーサル地上無線アクセスネットワーク（ＵＴＲＡＮ）である。ＵＴＲＡＮは、第３世代パートナーシップ計画（３ＧＰＰ（登録商標））によってサポートされた第３世代（３Ｇ）携帯電話技術であるユニバーサル移動体通信システム（ＵＭＴＳ）の一部として定められる無線アクセスネットワーク（ＲＡＮ）である。多重アクセスネットワークの形態の例は、符号分割多重アクセス（ＣＤＭＡ）ネットワーク、時分割多重アクセス（ＴＤＭＡ）ネットワーク、周波数分割多重アクセス（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークを含む。
【０００４】
[0004]ワイヤレス通信ネットワークは、いくつかのユーザ機器（ＵＥ）について通信をサポートすることができるいくつかの基地局またはノードＢを含み得る。ＵＥは、ダウンリンクおよびアップリンクを介して基地局と通信し得る。ダウンリンク（または、下りリンク）は、基地局からＵＥへの通信リンクを指し、アップリンク（または、上りリンク）は、ＵＥから基地局への通信リンクを指す。
【０００５】
[0005]基地局は、ダウンリンクにおいてＵＥへとデータおよび制御情報を送信し得、かつ／またはアップリンクにおいてＵＥからデータおよび制御情報を受信し得る。ダウンリンクにおいて、基地局からの送信が、近隣の基地局または他のワイヤレス無線周波数（ＲＦ）送信機からの送信に起因する干渉に遭遇し得る。アップリンクにおいて、ＵＥからの送信が、近隣の基地局と通信する他のＵＥのアップリンク送信または他のワイヤレスＲＦ送信機からの干渉に遭遇し得る。この干渉は、ダウンリンクおよびアップリンクの両方における性能を低下させ得る。
【０００６】
[0006]モバイルブロードバンドアクセスへの需要が増大を続けているため、長距離のワイヤレス通信ネットワークおよび地域に展開されているより短距離のワイヤレスシステムにアクセスするＵＥが増えるにつれて、干渉およびネットワークの輻輳の可能性が大きくなる。増大するモバイルブロードバンドアクセスへの需要を満たすためだけでなく、モバイル通信におけるユーザエクスペリエンスも進歩および向上させるために、ＵＭＴＳ技術を進歩させる研究および開発が続いている。
【発明の概要】
【０００７】
[0007]本開示の１つの態様においては、ワイヤレス通信の方法が、基地局によって、免許不要帯域におけるダウンリンク再同期手順のためのダウンリンク有効化状態（enablement status）を決定することと、基地局によって、ダウンリンク有効化状態を特定するダウンリンク状態指示を送信することとを含む。
【０００８】
[0008]本開示のさらなる態様においては、ワイヤレス通信の方法が、ＵＥにおいて、免許不要帯域において使用するためのアップリンク再同期手順を特定する指示を受信することと、ＵＥによって、送信のためのデータを検出したことに応答して、拡張クリアチャネル判定（ＥＣＣＡ：extended clear channel assessment）チェックを実行することと、ＵＥによって、アップリンク再同期手順において定められる再同期境界よりも前にＥＣＣＡチェックを成功裏に完了したことに応答して、送信を遅らせることと、ＵＥによって、再同期境界に先立つサブフレームにおいて、クリアチャネル判定（ＣＣＡ：clear channel assessment）チェックを実行することと、ＵＥによって、ＣＣＡチェックを成功裏に完了したことに応答して、再同期境界において始まるデータを送信することと、を含む。
【０００９】
[0009]本開示のさらなる態様においては、ワイヤレス通信のために構成された装置が、基地局によって、免許不要帯域におけるダウンリンク再同期手順のためのダウンリンク有効化状態を決定するための手段と、基地局によって、ダウンリンク有効化状態を特定するダウンリンク状態指示を送信するための手段とを含む。
【００１０】
[0010]本開示のさらなる態様においては、ワイヤレス通信のために構成された装置が、ＵＥにおいて、免許不要帯域において使用するためのアップリンク再同期手順を特定する指示を受信するための手段と、ＵＥによって、送信のためのデータを検出したことに応答して、ＥＣＣＡチェックを実行するための手段と、ＵＥによって、アップリンク再同期手順において定められる再同期境界よりも前にＥＣＣＡチェックを成功裏に完了したことに応答して、送信を遅らせるための手段と、ＵＥによって、再同期境界に先立つサブフレームにおいてＣＣＡチェックを実行するための手段と、ＵＥによって、ＣＣＡチェックを成功裏に完了したことに応答して、再同期境界において始まるデータを送信するための手段とを含む。
【００１１】
[0011]本開示のさらなる態様においては、コンピュータ読取可能な媒体にプログラムコードが記録されている。このプログラムコードは、基地局によって、免許不要帯域におけるダウンリンク再同期手順のためのダウンリンク有効化状態を決定するためのコードと、基地局によって、ダウンリンク有効化状態を特定するダウンリンク状態指示を送信するためのコードとを含む。
【００１２】
[0012]本開示のさらなる態様においては、コンピュータ読取可能な媒体にプログラムコードが記録されている。このプログラムコードは、ＵＥにおいて、免許不要帯域において使用するためのアップリンク再同期手順を特定する指示を受信するためのコードと、ＵＥによって、送信のためのデータを検出したことに応答して、ＥＣＣＡチェックを実行するためのコードと、ＵＥによって、アップリンク再同期手順において定められる再同期境界よりも前にＥＣＣＡチェックを成功裏に完了したことに応答して、送信を遅らせるためのコードと、ＵＥによって、再同期境界に先立つサブフレームにおいてＣＣＡチェックを実行するためのコードと、ＵＥによって、ＣＣＡチェックを成功裏に完了したことに応答して、再同期境界において始まるデータを送信するためのコードとを含む。
【００１３】
[0013]本開示のさらなる態様においては、装置が、少なくとも１つのプロセッサと、プロセッサに接続されたメモリとを含む。プロセッサは、基地局によって、免許不要帯域におけるダウンリンク再同期手順のためのダウンリンク有効化状態を決定し、基地局によって、ダウンリンク有効化状態を特定するダウンリンク状態指示を送信するように構成される。
【００１４】
[0014]本開示のさらなる態様においては、装置が、少なくとも１つのプロセッサと、プロセッサに接続されたメモリとを含む。プロセッサは、ＵＥにおいて、免許不要帯域において使用するためのアップリンク再同期手順を特定する指示を受信し、ＵＥによって、送信のためのデータを検出したことに応答して、ＥＣＣＡチェックを実行し、ＵＥによって、アップリンク再同期手順において定められる再同期境界よりも前にＥＣＣＡチェックを成功裏に完了したことに応答して、送信を遅らせ、ＵＥによって、再同期境界に先立つサブフレームにおいてＣＣＡチェックを実行し、ＵＥによって、ＣＣＡチェックを成功裏に完了したことに応答して、再同期境界において始まるデータを送信するように構成される。
【図面の簡単な説明】
【００１５】
【図１】[0015]図１は、種々の実施形態によるワイヤレス通信システムの例を説明する図を示している。
【図２Ａ】[0016]図２Ａは、種々の実施形態による免許不要帯域におけるＬＴＥの使用のための展開の状況の例を説明する図を示している。
【図２Ｂ】[0017]図２Ｂは、種々の実施形態による免許不要帯域におけるＬＴＥの使用のための展開の状況の別の例を説明する図を示している。
【図３】[0018]図３は、種々の実施形態による、免許帯域および免許不要帯域において並行してＬＴＥを使用する場合のキャリアアグリゲーションの例を説明する図を示している。
【図４】[0019]図４は、本開示の一態様に従って構成された基地局／ｅＮＢおよびＵＥの設計を概念的に説明するブロック図である。
【図５】[0020]図５は、２つの負荷ベースのＵＥの通信フレームを説明するブロック図である。
【図６】[0021]図６は、本開示の一態様に従って構成されたワイヤレスネットワークを説明するブロック図である。
【図７】[0022]図７は、本開示の一態様に従って構成されたワイヤレスシステムにおける免許不要帯域による伝送セグメントを説明するブロック図である。
【図８】[0023]図８は、本開示の態様を実現するために実行される典型的なブロックを説明する機能ブロック図である。
【図９】図９は、本開示の態様を実現するために実行される典型的なブロックを説明する機能ブロック図である。
【発明を実施するための形態】
【００１６】
[0024]添付の図面に関連して以下で述べられる詳細な説明は、種々の構成の説明として意図されており、本開示の範囲を限定しようとするものではない。むしろ、詳細な説明は、本発明の主題の完全な理解をもたらす目的で、具体的な詳細を含んでいる。これらの具体的な詳細が、すべての場合に必要とされるわけではなく、いくつかの場合において、周知の構造および構成要素が、提示を分かりやすいものにするためにブロック図の形態で示されることは、当業者にとって明らかであろう。
【００１７】
[0025]事業者は、セルラーネットワークにおいて常に増大する混雑のレベルを緩和するために免許不要帯域を使用するための主たる機構として、これまでにＷｉＦｉに注目してきた。しかしながら、免許不要帯域を含むＬＴＥ／ＬＴＥ−Ａにもとづく新キャリアタイプ（ＮＣＴ）は、キャリアグレードＷｉＦｉと互換性があり得、免許不要帯域によるＬＴＥ／ＬＴＥ−ＡはＷｉＦｉの代替となり得る。免許不要帯域によるＬＴＥ／ＬＴＥ−Ａは、ＬＴＥの概念を活用し得、免許不要帯域における効率的な運用をもたらし、規制上の要件を満たすために、ネットワークまたはネットワークデバイスの物理レイヤ（ＰＨＹ）およびメディアアクセス制御（ＭＡＣ）の態様にいくつかの修正を導入し得る。免許不要帯域は、例えば６００メガヘルツ（ＭＨｚ）から６ギガヘルツ（ＧＨｚ）までの範囲であり得る。いくつかの状況において、免許不要帯域によるＬＴＥ／ＬＴＥ−Ａは、ＷｉＦｉよりも大幅に良好に働き得る。例えば、すべてがＷｉＦｉである展開と比較した（単一または複数の事業者における）すべてが免許不要帯域でのＬＴＥ／ＬＴＥ−Ａである展開、または高密度な小さいセルの展開が存在する場合、免許不要帯域でのＬＴＥ／ＬＴＥ−Ａは、ＷｉＦｉよりも大幅に良好に働き得る。免許不要帯域でのＬＴＥ／ＬＴＥ−Ａは、（単一または複数の事業者において）免許不要帯域でのＬＴＥ／ＬＴＥ−ＡがＷｉＦｉと混合される場合など、他の状況においてもＷｉＦｉよりも良好に機能し得る。
【００１８】
[0026]単一のサービスプロバイダ（ＳＰ）にとって、免許不要帯域（unlicensed spectrum）でのＬＴＥ／ＬＴＥ−Ａネットワークは、免許帯域（licensed spectrum）でのＬＴＥネットワークと同期しているように構成され得る。しかしながら、複数のＳＰによって所与のチャネル上で展開される免許不要帯域でのＬＴＥ／ＬＴＥ−Ａネットワークは、複数のＳＰにわたって同期しているように構成され得る。上記の特徴の両方を組み込むための１つの手法は、所与のＳＰにおける免許不要帯域以外でのＬＴＥ／ＬＴＥ−Ａネットワークと免許不要帯域でのＬＴＥ／ＬＴＥ−Ａネットワークとの間での一定のタイミングオフセットの使用を含み得る。免許不要帯域でのＬＴＥ／ＬＴＥ−Ａネットワークは、ＳＰの必要性に従ってユニキャストおよび／またはマルチキャストサービスを提供し得る。さらに、免許不要帯域でのＬＴＥ／ＬＴＥ−Ａネットワークは、ＬＴＥセルがアンカーとして働き、免許不要帯域でのＬＴＥ／ＬＴＥ−Ａセルに関連のセル情報（例えば、無線フレームタイミング、共通チャネル構成、システムフレーム番号すなわちＳＦＮ、など）を提供するブートストラップモードで動作し得る。このモードでは、免許不要帯域以外でのＬＴＥ／ＬＴＥ−Ａと免許不要帯域でのＬＴＥ／ＬＴＥ−Ａとの間に密接な相互作用が存在し得る。例えば、ブートストラップモードは、上述した補助ダウンリンクモードおよびキャリアアグリゲーションモードをサポートし得る。免許不要帯域でのＬＴＥ／ＬＴＥ−ＡネットワークのＰＨＹ−ＭＡＣレイヤは、免許不要帯域でのＬＴＥ／ＬＴＥ−Ａネットワークが免許不要帯域以外でのＬＴＥネットワークとは独立に動作するスタンドアロンモードで動作し得る。この場合、例えば、免許不要帯域のセルおよび免許不要帯域以外のセルによるＬＴＥ／ＬＴＥ−Ａが共存するＲＬＣレベルのアグリゲーション、あるいは複数のセルおよび／または基地局にわたるマルチフローにもとづいて、免許不要帯域以外でのＬＴＥと免許不要帯域でのＬＴＥ／ＬＴＥ−Ａとの間に緩い相互作用（loose interworking）が存在し得る。
【００１９】
[0027]本明細書に記載の技術は、ＬＴＥに限られず、ＣＤＭＡ、ＴＤＭＡ、ＦＤＭＡ、ＯＦＤＭＡ、ＳＣ−ＦＤＭＡ、および他のシステムなどの種々のワイヤレス通信システムにも使用され得る。用語「システム」および「ネットワーク」は、しばしば入れ換え可能に使用される。ＣＤＭＡシステムは、ＣＤＭＡ２０００、ユニバーサル地上波無線アクセス（ＵＴＲＡ）、などの無線技術を実践し得る。ＣＤＭＡ２０００は、ＩＳ−２０００、ＩＳ−９５、およびＩＳ−８５６規格を包含する。ＩＳ−２０００  リリース０およびＡは、一般に、ＣＤＭＡ２０００  １Ｘ、１Ｘ、などと称される。ＩＳ−８５６（ＴＩＡ−８５６）は、一般に、ＣＤＭＡ２０００  １ｘＥＶ−ＤＯ、高レートパケットデータ（ＨＲＰＤ）、などと称される。ＵＴＲＡは、広帯域ＣＤＭＡ（ＷＣＤＭＡ（登録商標））およびＣＤＭＡの他の変種を含む。ＴＤＭＡシステムは、グローバル・システム・フォア・モバイル・コミュニケーション（ＧＳＭ（登録商標））などの無線技術を実践し得る。ＯＦＤＭＡシステムは、ウルトラ・モバイル・ブロードバンド（ＵＭＢ）、エボルブドＵＴＲＡ（Ｅ−ＵＴＲＡ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、Ｆｌａｓｈ−ＯＦＤＭ、などの無線技術を実践し得る。ＵＴＲＡおよびＥ−ＵＴＲＡは、ユニバーサル移動体通信システム（ＵＭＴＳ）の一部である。ＬＴＥおよびＬＴＥアドバンスト（ＬＴＥ−Ａ）は、Ｅ−ＵＴＲＡを使用するＵＭＴＳの新リリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）と呼ばれる組織からの文書に説明されている。ＣＤＭＡ２０００およびＵＭＢは、「第３世代パートナーシッププロジェクト２」（３ＧＰＰ２）と呼ばれる組織からの文書に説明されている。本明細書に記載の技術は、上述のシステムおよび無線システムならびに他のシステムおよび無線技術について使用され得る。しかしながら、以下の説明は、例示の目的でＬＴＥシステムを説明し、ＬＴＥの用語が、以下の説明の大半において使用されるが、これらの技術は、ＬＴＥの用途を越えて適用可能である。
【００２０】
[0028]したがって、以下の説明は、いくつかの例を提供するが、特許請求の範囲に記載される技術的範囲、適用性、または構成を限定するものではない。説明される構成要素の機能および配置について、本開示の技術的思想および技術的範囲から離れることなく変更され得る。種々の実施形態は、必要に応じて種々の手順または構成要素を省略、置換、または追加し得る。例えば、説明される方法は、説明における順序とは異なる順序で実行され得、種々の工程が、追加され得、省略され得、あるいは結み合わされ得る。また、特定の実施形態に関して説明される特徴を、他の実施形態において組み合わせ得る。
【００２１】
[0029]最初に図１を参照すると、図が、ワイヤレス通信システムまたはネットワーク１００の一例を示している。システム１００は、基地局（または、セル）１０５と、通信デバイス１１５と、コアネットワーク１３０とを含む。基地局１０５は、基地局コントローラ（図示されていない）の制御のもとで通信デバイス１１５と通信し得、それは、種々の実施形態においてコアネットワーク１３０または基地局１０５の一部であり得る。基地局１０５は、バックホールリンク１３２を介してコアネットワーク１３０と制御情報および／またはユーザデータを通信し得る。いくつかの実施形態において、基地局１０５は、バックホールリンク１３４を介して互いに直接的または間接的のいずれかにて通信し得、それは、有線またはワイヤレスの通信リンクであり得る。システム１００は、複数の搬送波（異なる周波数の波形信号）における動作をサポートし得る。多搬送波送信機は、同時に複数の搬送波において変調信号を送信することができる。例えば、各々の通信リンク１２５は、上述の種々の無線技術に従って変調された多搬送波信号であり得る。各々の変調信号が、異なる搬送波において送信され得、制御情報（例えば、基準信号、制御チャネル、など）、オーバヘッド情報、データ、などを搬送し得る。
【００２２】
[0030]基地局１０５は、１つ以上の基地局アンテナを介してデバイス１１５とワイヤレスで通信し得る。基地局１０５サイトの各々が、それぞれの地理的領域１１０のための通信カバレッジ（communication coverage）を提供し得る。いくつかの実施形態において、基地局１０５は、ベース・トランシーバ・ステーション、無線基地局、アクセスポイント、無線トランシーバ、基本サービスセット（ＢＳＳ）、拡張サービスセット（ＥＳＳ）、ＮｏｄｅＢ、ｅＮｏｄｅＢ（ｅＮＢ）、ホームＮｏｄｅＢ、ホームｅＮｏｄｅＢ、または何らかの他の適切な用語で呼ばれ得る。基地局のカバレッジ領域１１０は、カバレッジ領域の一部分（図示されていない）をそれぞれ構成するセクタへと分割され得る。システム１００は、異なる種類の基地局１０５（例えば、マクロ、マイクロ、および／またはピコ基地局）を含み得る。種々の技術について重なり合うカバレッジ領域が存在し得る。
【００２３】
[0031]いくつかの実施形態において、システム１００は、動作または展開の状況について１つ以上の免許不要帯域モードをサポートするＬＴＥ／ＬＴＥ−Ａネットワークである。他の実施形態において、システム１００は、免許不要帯域および免許不要帯域でのＬＴＥ／ＬＴＥ−Ａとは異なるアクセス技術、あるいは免許帯域およびＬＴＥ／ＬＴＥ−Ａとは異なるアクセス技術を使用するワイヤレス通信をサポートし得る。エボルブドノードＢ（ｅＮＢ）およびユーザ機器（ＵＥ）という用語が、一般に、基地局１０５および装置１１５をそれぞれ説明するために使用され得る。システム１００は、異なる種類のｅＮＢが種々の地理的領域のためのカバレッジを提供する免許不要帯域または免許不要帯域以外でのヘテロジニアスＬＴＥ／ＬＴＥ−Ａであり得る。例えば、各々のｅＮＢ１０５は、マクロセル、ピコセル、フェムトセル、および／または他の種類のセルのための通信カバレッジを提供し得る。ピコセル、フェムトセル、および／または他の種類のセルなどの小型のセルは、低出力のノードまたはＬＰＮを含み得る。マクロセルは、一般に、比較的大きな地理的領域（例えば、半径数キロメートル）をカバーし、ネットワーク提供者とのサービス契約を有するＵＥによる無制限のアクセスを許可し得る。ピコセルは、一般に、比較的より小さな地理的領域をカバーすると考えられ、ネットワーク提供者とのサービス契約を有するＵＥによる無制限のアクセスを許可し得る。また、フェムトセルは、一般に、比較的小さい地理的領域（例えば、家庭）をカバーすると考えられ、無制限のアクセスに加えて、フェムトセルとの関連付けを有するＵＥ（例えば、閉じた契約者グループ（ＣＳＧ）内のＵＥ、家庭内のユーザのＵＥ、など）による制限付きのアクセスも提供し得る。マクロセルのためのｅＮＢは、マクロｅＮＢと称され得る。ピコセルのためのｅＮＢは、ピコｅＮＢと称され得る。さらに、フェムトセルのためのｅＮＢは、フェムトｅＮＢまたはホームｅＮＢと称され得る。ｅＮＢは、１つまたは複数（例えば、２つ、３つ、４つ、など）のセルをサポートし得る。
【００２４】
[0032]コアネットワーク１３０は、バックホール１３２（例えば、Ｓ１など）を介してｅＮＢ１０５と通信し得る。また、ｅＮＢ１０５は、例えばバックホールリンク１３４（例えば、Ｘ２など）および／またはバックホールリンク１３２（例えば、コアネットワーク１３０による）を介して直接的または間接的に互いに通信し得る。システム１００は、同期または非同期動作をサポートし得る。同期動作において、ｅＮＢは、類似のフレームおよび／またはゲーティングタイミングを有し得、異なるｅＮＢからの送信が、時間においてほぼアライメントされ（approximately aligned in time）得る。非期動作において、ｅＮＢは、異なるフレームおよび／またはゲーティングタイミングを有し得、異なるｅＮＢからの送信が、時間においてアライメントされていないことがある。本明細書において説明される技術は、同期または非同期のいずれの動作にも使用され得る。
【００２５】
[0033]ＵＥ１１５は、システム１００の至る所に分散させられ、各々のＵＥは、固定式または可動式であり得る。ＵＥ１１５は、当業者によって、移動局、加入者設備、モバイルユニット、加入者ユニット、ワイヤレスユニット、リモートユニット、移動機、ワイヤレスデバイス、ワイヤレス通信デバイス、リモートデバイス、移動加入者設備、アクセス端末、モバイル端末、ワイヤレス端末、リモート端末、ハンドセット、ユーザエージェント、モバイルクライアント、クライアント、または何らかの他の適切な用語でも呼ばれ得る。ＵＥ１１５は、携帯電話機、携帯情報端末（ＰＤＡ）、ワイヤレスモデム、ワイヤレス通信デバイス、携帯デバイス、タブレットコンピュータ、ラップトップコンピュータ、コードレス電話機、ワイヤレスローカルループ（ＷＬＬ）ステーション、などであり得る。ＵＥは、マクロｅＮＢ、ピコｅＮＢ、フェムトｅＮＢ、中継局、などと通信することも可能であり得る。
【００２６】
[0034]システム１００に示されている通信リンク１２５は、移動機１１５から基地局１０５へのアップリンク（ＵＬ）送信、および／または基地局１０５から移動機１１５へのダウンリンク（ＤＬ）送信を含み得る。ダウンリンク送信が、下りリンク送信とも称され得る一方で、アップリンク送信は、上りリンク送信とも称され得る。ダウンリンク送信は、免許帯域（例えば、ＬＴＥ）、免許不要帯域（例えば、免許不要帯域でのＬＴＥ／ＬＴＥ−Ａ）、または両方（免許不要帯域／免許不要帯域以外でのＬＴＥ／ＬＴＥ−Ａ）を使用して行われ得る。同様に、アップリンク送信は、免許帯域（例えば、ＬＴＥ）、免許不要帯域（例えば、免許不要帯域でのＬＴＥ／ＬＴＥ−Ａ）、または両方（免許不要帯域／免許不要帯域以外でのＬＴＥ／ＬＴＥ−Ａ）を使用して行われ得る。
【００２７】
[0035]システム１００のいくつかの実施形態において、免許帯域におけるＬＴＥのダウンリンクの容量が免許不要帯域へとオフロードされ得る補助ダウンリンク（ＳＤＬ）モード、ＬＴＥのダウンリンクおよびアップリンクの両方の容量が免許帯域から免許不要帯域へとオフロードされ得るキャリアアグリゲーションモード、ならびに基地局（例えば、ｅＮＢ）とＵＥとの間のＬＴＥのダウンリンクおよびアップリンク通信が免許不要帯域において行われ得るスタンドアロンモードなど、免許不要帯域でのＬＴＥ／ＬＴＥ−Ａについての種々の展開の状況がサポートされ得る。基地局１０５ならびにＵＥ１１５は、これらの動作モードおよび同様の動作モードのうちの１つ以上をサポートし得る。ＯＦＤＭＡ通信信号が、免許不要帯域におけるＬＴＥダウンリンク送信のために通信リンク１２５において使用され得る一方で、ＳＣ−ＦＤＭＡ通信信号が、免許不要帯域におけるＬＴＥアップリンク送信のために通信リンク１２５において使用され得る。システム１００などのシステムにおける免許不要帯域の展開の状況でのＬＴＥ／ＬＴＥ−Ａの実施または動作の態様、ならびに免許不要帯域でのＬＴＥ／ＬＴＥ−Ａの動作に関する他の特徴および機能が、以下で図２Ａ〜９を参照して提示される。
【００２８】
[0036]次に図２Ａに目を向けると、図２００が、免許不要帯域でのＬＴＥ／ＬＴＥ−ＡをサポートするＬＴＥネットワークについての補助ダウンリンクモードおよびキャリアアグリゲーションモードの例を示している。図２００は、図１のシステム１００の一部分の例であり得る。さらに、基地局１０５−ａが、図１の基地局１０５の例であり得る一方で、ＵＥ１１５−ａは、図１のＵＥ１１５の例であり得る。
【００２９】
[0037]図２００における補助ダウンリンクモードの例において、基地局１０５−ａは、ダウンリンク２０５を使用してＵＥ１１５−ａへとＯＦＤＭＡ通信信号を送信し得る。ダウンリンク２０５は、免許不要帯域の周波数Ｆ１に関連付けられる。基地局１０５−ａは、双方向リンク２１０を使用して同じＵＥ１１５−ａへとＯＦＤＭＡ通信信号を送信し得、双方向リンク２１０を使用してこのＵＥ１１５−ａからＳＣ−ＦＤＭＡ通信信号を受信し得る。双方向リンク２１０は、免許帯域の周波数Ｆ４に関連付けられる。免許不要帯域におけるダウンリンク２０５および免許帯域における双方向リンク２１０は、並行して（concurrently）動作し得る。ダウンリンク２０５は、基地局１０５−ａのためにダウンリンク容量のオフロードを提供し得る。いくつかの実施形態において、ダウンリンク２０５は、ユニキャストサービス（例えば、１つのＵＥに宛てられる）またはマルチキャストサービス（例えば、複数のＵＥに宛てられる）に使用され得る。この状況は、免許帯域を使用しており、トラフィックおよび／または信号の輻輳の一部を軽減する必要がある任意のサービスプロバイダ（例えば、伝統的な移動体通信事業者またはＭＮＯ）において生じ得る。
【００３０】
[0038]図２００におけるキャリアアグリゲーションモードの一例において、基地局１０５−ａは、双方向リンク２１５を使用してＵＥ１１５−ａへとＯＦＤＭＡ通信信号を送信し得、双方向リンク２１５を使用して同じＵＥ１１５−ａからＳＣ−ＦＤＭＡ通信信号を受信し得る。双方向リンク２１５は、免許不要帯域の周波数Ｆ１に関連付けられる。また、基地局１０５−ａは、双方向リンク２２０を使用して同じＵＥ１１５−ａへとＯＦＤＭＡ通信信号を送信し得、双方向リンク２２０を使用して同じＵＥ１１５−ａからＳＣ−ＦＤＭＡ通信信号を受信し得る。双方向リンク２２０は、免許帯域の周波数Ｆ２に関連付けられる。双方向リンク２１５は、基地局１０５−ａのためにダウンリンクおよびアップリンク容量のオフロードを提供し得る。上述の補助ダウンリンクと同様に、この状況は、免許帯域を使用しており、トラフィックおよび／または信号の輻輳の一部を軽減する必要がある任意のサービス提供者（例えば、ＭＮＯ）において生じ得る。
【００３１】
[0039]図２００におけるキャリアアグリゲーションモードの別の例において、基地局１０５−ａは、双方向リンク２２５を使用してＵＥ１１５−ａへとＯＦＤＭＡ通信信号を送信し得、双方向リンク２２５を使用して同じＵＥ１１５−ａからＳＣ−ＦＤＭＡ通信信号を受信し得る。双方向リンク２２５は、免許不要帯域の周波数Ｆ３に関連付けられる。また、基地局１０５−ａは、双方向リンク２３０を使用して同じＵＥ１１５−ａへとＯＦＤＭＡ通信信号を送信し得、双方向リンク２３０を使用して同じＵＥ１１５−ａからＳＣ−ＦＤＭＡ通信信号を受信し得る。双方向リンク２３０は、免許帯域の周波数Ｆ２に関連付けられる。双方向リンク２２５は、基地局１０５−ａのためにダウンリンクおよびアップリンク容量のオフロードを提供し得る。この例および上記提示の例は、説明の目的のために示されており、容量のオフロードのために免許不要帯域または免許不要帯域以外でのＬＴＥ／ＬＴＥ−Ａを組み合わせる他の同様の動作モードおよび展開の状況が存在し得る。
【００３２】
[0040]上述のように、免許不要帯域でのＬＴＥ／ＬＴＥ−Ａを使用することによってもたらされる容量のオフロードの恩恵を被り得る典型的なサービス提供者は、ＬＴＥ帯域を有する伝統的なＭＮＯである。これらのサービス提供者に関して、動作の構成は、免許帯域におけるＬＴＥプライマリコンポーネントキャリア（ＰＣＣ）および免許不要帯域におけるＬＴＥセカンダリコンポーネントキャリア（ＳＣＣ）を使用するブートストラップモード（例えば、補助ダウンリンク、キャリアアグリゲーション）を含み得る。
【００３３】
[0041]補助ダウンリンクモードにおいて、免許不要帯域でのＬＴＥ／ＬＴＥ−Ａのための制御は、ＬＴＥアップリンク（例えば、双方向リンク２１０のアップリンク部分）によって運ばれ得る。ダウンリンク容量のオフロードをもたらす理由の１つは、データの需要の大部分がダウンリンクの消費に起因するからである。さらに、このモードにおいては、ＵＥが免許不要帯域での送信を行っていないため、規制の影響が存在しないことがある。ＵＥにおいてリッスン・ビフォア・トーク（ＬＢＴ）または搬送波検知多重アクセス（ＣＳＭＡ）の要件を実行する必要がない。しかしながら、ＬＢＴは、定期的な（例えば、１０ミリ秒ごとの）クリアチャネル判定（ＣＣＡ）および／または無線フレーム境界にアライメントされたグラブ・アンド・リリンキッシュ（grab-and-relinquish）機構を使用することによって、基地局（例えば、ｅＮＢ）において実行され得る。
【００３４】
[0042]キャリアアグリゲーションモードにおいては、データおよび制御がＬＴＥ（例えば、双方向リンク２１０、２２０、および２３０）において通信され得る一方で、データは免許不要帯域でのＬＴＥ／ＬＴＥ−Ａ（例えば、双方向リンク２１５および２２５）にて通信され得る。免許不要帯域でのＬＴＥ／ＬＴＥ−Ａを使用する場合にサポートされるキャリアアグリゲーション機構は、ハイブリッド周波数分割複信−時分割複信（ＦＤＤ−ＴＤＤ）キャリアアグリゲーションまたはコンポーネントキャリア間の異なる対称性によるＴＤＤ−ＴＤＤキャリアアグリゲーションに該当し得る。
【００３５】
[0043]図２Ｂが、免許不要帯域でのＬＴＥ／ＬＴＥ−Ａのためのスタンドアロンモードの例を説明する図２００−ａを示している。図２００−ａは、図１のシステム１００の一部分の例であり得る。さらに、基地局１０５−ｂが、図１の基地局１０５および図２Ａの基地局１０５−ａの一例であり得る一方で、ＵＥ１１５−ｂは、図１のＵＥ１１５および図２ＡのＵＥ１１５−ａの一例であり得る。
【００３６】
[0044]図２００−ａにおけるスタンドアロンモードの例において、基地局１０５−ｂは、双方向リンク２４０を使用してＵＥ１１５−ｂへとＯＦＤＭＡ通信信号を送信し得、双方向リンク２４０を使用してＵＥ１１５−ｂからＳＣ−ＦＤＭＡ通信信号を受信し得る。双方向リンク２４０は、図２Ａに関して上述した免許不要帯域の周波数Ｆ３に関連付けられる。スタンドアロンモードは、スタジアム内アクセス（例えば、ユニキャスト、マルチキャスト）などの非伝統的なワイヤレスアクセスの状況において使用され得る。この動作モードに関する典型的なサービス提供者は、スタジアムの所有者、ケーブル企業、イベント開催者、ホテル、会社、および免許帯域を持たない大きな団体であり得る。これらのサービス提供者に関して、スタンドアロンモードのための動作の構成は、免許不要帯域においてＰＣＣを使用し得る。さらに、ＬＢＴが、基地局およびＵＥの両方において実行され得る。
【００３７】
[0045]次に図３に目を向けると、図３００が、種々の実施形態に従って免許帯域および免許不要帯域において並行してＬＴＥを使用する場合のキャリアアグリゲーションの例を示している。図３００におけるキャリアアグリゲーションの仕組みは、図２Ａに関して上述したハイブリッドＦＤＤ−ＴＤＤキャリアアグリゲーションに対応し得る。このタイプのキャリアアグリゲーションは、図１のシステム１００の少なくとも一部分において使用され得る。さらに、このタイプのキャリアアグリゲーションは、図１および図２Ａのそれぞれの基地局１０５および１０５−ａ、ならびに／あるいは図１および図２ＡのそれぞれのＵＥ１１５および１１５−ａにおいて使用され得る。
【００３８】
[0046]この例においては、ＦＤＤ（ＦＤＤ−ＬＴＥ）が、ダウンリンクにおけるＬＴＥに関連して実行され得、第１のＴＤＤ（ＴＤＤ１）が、免許不要帯域でのＬＴＥ／ＬＴＥ−Ａに関連して実行され得、第２のＴＤＤ（ＴＤＤ２）が、免許帯域でのＬＴＥに関連して実行され得、もう１つのＦＤＤ（ＦＤＤ−ＬＴＥ）が、免許帯域でのアップリンクにおけるＬＴＥに関連して実行され得る。ＴＤＤ１が、６：４というＤＬ：ＵＬ比をもたらす一方で、ＴＤＤ２における比は、７：３である。時間スケールにおいて、種々の実効ＤＬ：ＵＬ比は、３：１、１：３、２：２、３：１、２：２、および３：１である。この例は、説明の目的で提示されており、免許不要帯域または免許不要帯域以外でのＬＴＥ／ＬＴＥ−Ａの動作を組み合わせる他のキャリアアグリゲーションの仕組みが存在し得る。
【００３９】
[0047]図４は、基地局／ｅＮＢ１０５およびＵＥ１１５の設計のブロック図を示し、それは図１における基地局／ｅＮＢのうちの１つおよびＵＥのうちの１つであり得る。ｅＮＢ１０５は、アンテナ４３４ａ〜４３４ｔを備え得、ＵＥ１１５は、アンテナ４５２ａ〜４５２ｒを備え得る。ｅＮＢ１０５において、送信プロセッサ４２０が、データソース４１２からのデータおよびコントローラ／プロセッサ４４０からの制御情報を受け取り得る。制御情報は、物理報知チャネル（ＰＢＣＨ）、物理制御フォーマットインジケータチャネル（ＰＣＦＩＣＨ）、物理ハイブリッド自動リピート要求インジケータチャネル（ＰＨＩＣＨ）、物理ダウンリンク制御チャネル（ＰＤＣＣＨ）、などのための制御情報であり得る。データは、物理ダウンリンク共有チャネル（ＰＤＳＣＨ）などのためのデータであり得る。送信プロセッサ４２０は、データおよび制御情報を処理（例えば、エンコードおよびシンボルマップ）することで、データシンボルおよび制御シンボルをそれぞれ獲得し得る。また、送信プロセッサ４２０は、例えば主同期信号（ＰＳＳ）、副同期信号（ＳＳＳ）、およびセルごとの基準信号のための基準シンボルを生成し得る。送信（ＴＸ）多入力多出力（ＭＩＭＯ）プロセッサ４３０が、必要であれば、データシンボル、制御シンボル、および／または基準シンボルについて空間処理（例えば、プリコーディング）を実行し得、変調器（ＭＯＤ）４３２ａ〜４３２ｔへと出力シンボルストリームをもたらし得る。各々の変調器４３２は、出力サンプルストリームを得るように（例えば、ＯＦＤＭなどのために）それぞれの出力シンボルストリームを処理し得る。さらに、各々の変調器４３２は、ダウンリンク信号を得るように出力サンプルストリームをさらに処理（例えば、アナログへの変換、増幅、フィルタ処理、およびアップコンバート）し得る。変調器４３２ａ〜４３２ｔからのダウンリンク信号が、アンテナ４３４ａ〜４３４ｔのそれぞれを介して送信され得る。
【００４０】
[0048]ＵＥ１１５において、アンテナ４５２ａ〜４５２ｒが、ｅＮＢ１０５からのダウンリンク信号を受信し得、受信した信号を復調器（ＤＥＭＯＤ）４５４ａ〜４５４ｒへとそれぞれもたらし得る。各々の復調器４５４は、入力サンプルを得るようにそれぞれの受信信号を調整（例えば、フィルタ処理、増幅、ダウンコンバート、およびデジタル化）し得る。各々の復調器４５４は、受信シンボルを得るように（例えば、ＯＦＤＭなどのために）入力サンプルをさらに処理し得る。ＭＩＭＯ検出器４５６が、すべての復調器４５４ａ〜４５４ｒから受信シンボルを取得し、必要であれば受信シンボルについてＭＩＭＯ検出を実行し、検出シンボルをもたらし得る。受信プロセッサ４５８が、検出シンボルを処理（例えば、復調、デインターリーブ、および復号）し、ＵＥ１１５のための復号後データをデータシンク４６０へともたらすとともに、復号された制御情報をコントローラ／プロセッサ４８０へともたらし得る。
【００４１】
[0049]アップリンクについて、ＵＥ１１５において、送信プロセッサ４６４が、データソース４６２からの（例えば、物理アップリンク共有チャネル（ＰＵＳＣＨ）のための）データおよびコントローラ／プロセッサ４８０からの（例えば、物理アップリンク制御チャネル（ＰＵＣＣＨ）のための）制御情報を受け取って処理し得る。また、送信プロセッサ４６４は、基準信号のための基準シンボルを生成し得る。送信プロセッサ４６４からのシンボルは、必要であればＴＸ  ＭＩＭＯプロセッサ４６６によってプリコードされ、（例えば、ＳＣ−ＦＤＭなどのために）復調器４５４ａ〜４５４ｒによってさらに処理され、ｅＮＢ１０５へと送信され得る。ｅＮＢ１０５において、復号後データおよびＵＥ１１５によって送信された制御情報を得るために、ＵＥ１１５からのアップリンク信号が、アンテナ４３４によって受信され、変調器４３２によって処理され、必要であればＭＩＭＯ検出器４３６によって検出され、受信プロセッサ４３８によってさらに処理され得る。プロセッサ４３８は、復号後のデータをデータシンク４３９へともたらし得、復号後の制御情報をコントローラ／プロセッサ４４０へともたらし得る。
【００４２】
[0050]コントローラ／プロセッサ４４０および４８０は、ｅＮＢ１０５およびＵＥ１１５のそれぞれにおける動作を管理し得る。コントローラ／プロセッサ４４０ならびに／あるいはｅＮＢ１０５における他のプロセッサおよびモジュールは、本明細書に記載の技術に関する種々のプロセスを実行し得、あるいは実行を管理し得る。また、コントローラ／プロセッサ４８０ならびに／あるいはＵＥ１１５における他のプロセッサおよびモジュールは、図８および９に示される機能ブロックならびに／あるいは本明細書に記載の技術に関する他のプロセスを実行し得、あるいは実行を管理し得る。メモリ４４２および４８２が、ｅＮＢ１０５およびＵＥ１１５のそれぞれのためのデータおよびプログラムコードを記憶し得る。スケジューラ４４４が、ダウンリンクおよび／またはアップリンクにおけるデータの伝送についてＵＥをスケジュールし得る。
【００４３】
[0051]免許不要帯域を使用するＬＴＥ／ＬＴＥ−Ａネットワークの種々の構成が、フレームベースの構造を使用して免許不要帯域のアクセスを提供し得る。免許不要帯域でのＬＴＥ／ＬＴＥ−Ａのためのフレームベースの設計は、免許帯域だけを使用する標準的なＬＴＥシステムと共有される一般的な設計要素を含む、多くの利点を提供する。フレームベースのシステムは、フレームにおける一定の時間においてＣＣＡチェックを実行し、ここで一定の時間は、通常はフレームの小さな一部分（典型的には、約５％）である。例えば、ＣＣＡチェックは、特別サブフレームのガード期間の後の７つのサブフレームのうちの１つにおける特別サブフレームにおいて行われ得る。負荷ベースのシステムがチャネルを占めるとき、負荷ベースのシステムの送信バーストと送信バーストとの間に生じる送信ギャップが、フレームベースのシステムのＣＣＡ期間に常には含まれないことがある。負荷ベースのシステムは、一般に、それのバッファ内にデータが存在するときに送信を行い、しばしば、バッファが尽きる（exhausted）までチャネルをキャプチャすることになる。免許不要帯域でのＬＴＥ／ＬＴＥ−Ａにおいて、負荷ベースの機器のフレーム構造に関して、機器は、動作中のチャネルがランダム係数（random factor）ＮにＣＣＡ観測時間を乗算した持続時間について観測される、拡張ＣＣＡ（ＥＣＣＡ）チェックを実行し得る。Ｎは、送信の開始前に観測される総アイドル期間をもたらすクリアアイドルスロットの数を定める。Ｎの値は、ＥＣＣＡが起こるたびに１と変数ｑとの間の範囲においてランダムに選択され得る。次いで、選択されたＮの値が、カウンタに保存される。種々のシステムにおいて、ｑの値は、４〜３２の範囲において製造者によって選択され得る。
【００４４】
[0052]乱数Ｎの生成は、フレームインデックス、公衆地上モバイルネットワーク（ＰＬＭＮ）識別子（ＩＤ）、および／またはサブフレームインデックスの関数であり得る。同じ事業者のセル間でＮの生成をアライメントさせることが、同じ事業者の異なるセルまたはＵＥの間でアイドル時間／送信時間をアライメントさせる役に立ち、結果として、同じ事業者内での周波数の再使用を増加させる役に立つ。
【００４５】
[0053]近隣のｅＮＢからの送信が、他の近隣のｅＮＢの送信を妨害する可能性があるため、このような近隣のｅＮＢの間でＥＣＣＡをアライメントさせることが有益である。このように、同じ事業者のｅＮＢに関して、セル間の周波数の再使用を増加させるために、ダウンリンク送信を同時に開始することが有益であると考えられる。さもないと、或るｅＮＢがＣＣＡまたはＥＣＣＡクリアランスを有し、近隣のｅＮＢがクリアランスを検出する前に速やかに送信を開始する場合に、第１のｅＮＢの送信が近隣のｅＮＢと干渉し、近隣のｅＮＢのＣＣＡまたはＥＣＣＡチェックを失敗させ、結果として近隣のｅＮＢからの送信を妨げる可能性がある。同様に、近隣のＵＥが名目上は互いに妨げ合うことがないように、近隣のＵＥ間のＥＣＣＡアライメントも、有益であり得る。
【００４６】
[0054]このような近隣のｅＮＢおよびＵＥの間のＥＣＣＡのアライメントを得るために、ランダムパラメータＮの生成を、（例えば、共通の種を使用し、セルに依存しない生成を提供して）同じ事業者のｅＮＢ間でアライメントさせることができる。さらに、再同期（ｒｅ−ｓｙｎｃ）境界も、フレームにおける最初の伝送のために定められ得る。このようにして、ノードが再同期境界よりも前にＣＣＡまたはＥＣＣＡのクリアランスを検出する場合、このノードは、再同期境界まで送信を遅らせ、再同期境界の直前に送信前のＣＣＡチェックを再実行する。
【００４７】
[0055]図５が、伝送セグメント５０における２つの負荷ベースのＵＥ（ＵＥ５００およびＵＥ５０１）の通信フレーム５０２および５０３を説明するブロック図である。ＵＥ５００は、通信フレーム５０２で構成され、ＵＥ５０１は、通信フレーム５０３で構成され、各々の通信フレームは、アップリンクおよびダウンリンク通信のために構成されたアップリンク、ダウンリンク、および特別サブフレームを有する。ネットワークは、ＵＥ５００および５０１のＥＣＣＡプロセスをアライメントさせるために、アップリンク再同期境界５０４および５１０も定める。１つの例示的な動作において、ＵＥ５００によるＥＣＣＡ５０５のためのカウントダウンおよびＵＥ５０１によるＥＣＣＡ５０６のためのカウントダウンの両方が、アップリンク再同期境界５０４よりも前に終わる。さらに、ＵＥ５００は、ＵＥ５０１がＥＣＣＡ５０６を終えるよりも前にＥＣＣＡ５０５を終える。ＵＥ５００がＥＣＣＡ５０５の直後に送信を始めるならば、ＵＥ５００からの送信がＥＣＣＡ５０６を失敗させ得、結果としてＵＥ５０１が自身のバッファ内のデータを送信することを妨げ得る。そこで、ＵＥ５００および５０１の各々が、それぞれＥＣＣＡ５０５および５０６が終わるまで待ち、再同期境界５０４の後に送信を開始する。しかしながら、ＥＣＣＡ５０５および５０６の各々の後に追加の時間が経過するので、ＵＥ５００および５０１は、再同期境界５０４の前にＣＣＡチェック５０８および５０９をそれぞれ実行する。
【００４８】
[0056]再同期手順は、周波数の再使用の改善に役立つ。しかしながら、この再使用の改善は、複雑さが増すとともに、所与のノードにとって効率が悪くなるという犠牲を伴う。例えば、ノードは、再同期境界にまだ達していない場合、ＣＣＡ／ＥＣＣＡのクリアランスの直後に送信を始めることができない。再同期境界の前のアイドル期間において、他のノード（例えば、他の事業者からのアライメントされていない近隣のＷｉＦｉノードなど）が送信を開始し、チャネルを占有し得る可能性がある。
【００４９】
[0057]いくつかの場合、再同期手順は不要であり得る一方で、他の場合には、再同期手順を有することが実際に不利になり得る。例えば、隔絶された展開においては、隔絶された特定のカバレッジ領域内に複数のＵＥが存在する可能性がわずかであり得るため、再同期手順は不要であると考えられる。さらに、所与のフレームにおいて、ＵＥがアップリンク再同期境界の後の最初のアップリンクサブフレームにおける送信についてスケジュールされているが、後のアップリンクサブフレームにおいてもスケジュールされている場合、たとえ最初のスケジュールされたサブフレームにおける送信が不要であり得るとしても、後のアップリンクサブフレームにおいて再同期動作を実行する理由が存在し得る。
【００５０】
[0058]本開示の種々の態様において、再同期手順は、ノードごとのやり方で管理される。したがって、各々のノード（例えば、基地局、ｅＮＢ、など）が、再同期手順が有効／利用可能であるか否かを決定できる。例えば、ｅＮＢが、自身がダウンリンクまたはアップリンク再同期手順をサポートするか否かを、システム情報報知メッセージにおいて示すことができる。さらに、ＵＥは、所与のフレームまたはサブフレームについてアップリンク再同期手順が有効／利用可能であるか否か、半静的（例えば、ＲＲＣメッセージによる）または動的（例えば、ダウンリンク制御インジケータ（ＤＣＩ）メッセージによる）のいずれかに構成され得る。
【００５１】
[0059]図６は、本開示の一態様に従って構成されたワイヤレスネットワーク６０を説明するブロック図である。ワイヤレスネットワーク６０は、同じワイヤレスネットワーク事業者によって運営される基地局６００〜６０２と、別のワイヤレスネットワーク事業者によって運営される近隣の基地局である基地局６０３とを含む。基地局６００〜６０３の各々は、免許帯域および免許不要帯域の両方を使用し得る無線アクセス技術（ＲＡＴ）で通信を行うように構成される。一例において、基地局６００〜６０３は、免許不要帯域でのＬＴＥ／ＬＴＥ−ａを使用して動作し得る。
【００５２】
[0060]ワイヤレスネットワーク６０においてＥＣＣＡをアライメントさせるための一態様において、基地局６００〜６０２は、再同期プロセスの選択を協調させるためにバックホール６０７によって互いに通信し得る。基地局６００〜６０２は、ダウンリンク再同期プロセスおよびアップリンク再同期プロセスの両方の選択を協調させ得る。ひとたびダウンリンクおよび／またはアップリンク再同期プロセスの構成が選択されると、基地局６００〜６０２は、ダウンリンク再同期プロセスが有効である旨を他の基地局およびＵＥ６０４〜６０６へと示す有効状化態の報知を開始する。基地局６００〜６０２は、アップリンク再同期プロセスについての有効化状態もＵＥ６０４〜６０６へと送信し得る。このようなアップリンク有効化状態は、すべてのＵＥへと報知され得、あるいはＵＥ固有のサーチ空間において特定のＵＥへと特定的に送信され得る。
【００５３】
[0061]例えば、ＵＥ６０４は、ＵＥ６０５とは異なるアップリンク／ダウンリンクサブフレーム構成で示され得る。したがって、基地局６００は、各々のＵＥについて再同期プロセスの異なる構成を選択し得る。次いで、基地局６００は、選択された再同期プロセスの構成に対応する各々のアップリック有効化状態を、この再同期プロセスの構成が選択された特定のＵＥへと送信し得る。基地局６００は、このようなアップリンク有効化状態インジケータをＵＥ固有のサーチ空間によって送信する。
【００５４】
[0062]本開示の態様が、特定のアップリンク／ダウンリンクサブフレーム構成と対応する再同期プロセス構成との間のマッピングを提供し得ることに、留意すべきである。アップリンク／ダウンリンクサブフレーム構成は、ＵＥがフレーム内に２つ以上の再同期境界を有するよう示されるように、構成され得る。例えば、ＤＤＳＵＵＵＵＵＵＳ’というシーケンスを有するダウンリンク／アップリンクサブフレーム構成には、２つのアップリンク再同期境界が定められ得る。第１の再同期境界が、最初のアップリンクサブフレームの１シンボル前に定められ得る一方で、第２の再同期境界は、４番目のアップリンクサブフレームの１シンボル前に定められ得る。再同期の数および場所の指示は、特定のサブフレーム構成とそれらに対応する再同期境界の数および場所との間のマッピングを提供する現在の仕様への更新を通じて標準化され得る。また、再同期境界の指示は、種々のシグナリング（例えば、ＲＲＣシグナリング、ＤＣＩシグナリング、など）を通じてｅＮＢによってもたらされ得る。
【００５５】
[0063]加えて、複数の再同期境界が所与のフレーム内に定められる場合、ＵＥは、再同期境界の直前の予め定められたまたは動的に定められる持続時間について送信を行わないようにさらに示され得る。再同期境界の前のアイドル時間は、再同期手順を促進し得る。
【００５６】
[0064]図７が、本開示の一態様に従って構成されたワイヤレスシステムにおける免許不要帯域による伝送セグメント７０を説明するブロック図である。伝送セグメント７０は、ＵＥ７００および７０１からの伝送ストリーム７０２および７０３を示している。ＵＥ７００および７０１の各々は、アップリンク／ダウンリンクサブフレーム構成ＤＤＳＵＵＵＵＵＵＳ’によって示される。ＵＥ７００および７０１にサーブする基地局（図示されていない）が、２つの再同期境界７０４および７０５を提供する再同期手順の構成を選択する。再同期境界７０４に先立ち、ＵＥ７００および７０１の各々は、フレームの最初のアップリンクサブフレームにおけるアップリンク伝送の開始の前に、ＣＣＡチェック、すなわちＣＣＡチェック７０６および７０７を実行する。また、ＵＥ７００および７０１の各々は、再同期境界７０５の後のアップリンク伝送の開始の前に、ＣＣＡチェック、すなわちＣＣＡチェック７０８および７０９を実行する。また、再同期境界７０４および７０５を定める再同期手順の構成は、再同期境界７０５に先立つ持続時間７１０について送信を控えるようにＵＥ７００および７０１に指示する。このサイレント期間は、ＵＥ７００または７０１のいずれかからの送信が再同期境界７０５における他のＵＥのＣＣＡチェックに干渉することを防止する。
【００５７】
[0065]後続の再同期境界よりも前のサイレントまたはアイドル期間は、実施される開示の態様に応じた複数のやり方でＵＥによって得られ得ることに、注意すべきである。例えば、サイレントまたはアイドル期間は、どの再同期プロセスの構成が選択されたかを示す有効化状態メッセージを通じてＵＥへと明示的に示され得る。他の態様において、サイレントまたはアイドル期間は、特定の再同期プロセス構成に関連して標準の情報にて定められ、ＵＥに知られ得る。本開示は、このような情報をＵＥへともたらすためのいかなる特定の手段にも限定されない。
【００５８】
[0066]再び図６を参照すると、本開示のさらなる態様において、基地局６００〜６０２とは異なるワイヤレスネットワーク事業者によって運営される基地局６０３も、ワイヤレスネットワーク６０においてＥＣＣＡをアライメントさせるためのダウンリンク再同期プロセスに従い得る。１つの例示的な態様において、基地局６０３は、再同期プロセスの選択の協調に参加するために、通信リンク６０８を介して基地局６００〜６０２と直接通信し得る。別の例示的な態様において、基地局６０３は、種々のシステム情報ブロックにおいて基地局６００〜６０２によって報知される有効化状態情報を受信して読み取り得る。次いで、基地局６０３は、システム情報ブロックにおけるダウンリンク再同期プロセスのための指示を使用して、ダウンリンク通信のための自身の再同期境界を設定する。
【００５９】
[0067]本開示のさらなる態様において、基地局６０１は、自身のカバレッジ領域内でＵＥ６０６だけが通信についてスケジュールされていると決定し得る。したがって、基地局６０１は、アップリンク再同期手順が利用可能でないことを示す有効化状態をＵＥ６０６へと送信する。
【００６０】
[0068]有効化状態信号は、基地局６００〜６０３により、レイヤ３シグナリング（例えば、無線リソース制御（ＲＲＣ）シグナリング）などを通じて半静的に、またはレイヤ１シグナリング（例えば、ダウンリンク制御インジケータ（ＤＣＩ）シグナリング）などを通じて動的に送信され得、フレームまたはサブフレームごとのやり方でもたらされ得る。例えば、時間ｔ１において、ＵＥ６０４および６０５の両方が、基地局６００のカバレッジ領域内に存在する。再同期境界を定める選択された再同期手順が、ＲＲＣメッセージにおける有効化状態インジケータによってＵＥ６０４および６０５へと示される。このメッセージに応えて、ＵＥ６０４および６０５は、この有効化状態インジケータに関連付けられた再同期手順によって定められる再同期境界にもとづいて送信を設定する。時間ｔ２において、ＵＥ６０４が、基地局６００のカバレッジ領域から移動している一方で、ＵＥ６０５はとどまっている。基地局６００は、ＵＥ６０５のための通信だけをスケジュールしているがゆえに、更新された有効化状態インジケータをＤＣＩメッセージにて送信し、それは次のサブフレームまたはフレームについて再同期手順が使用されない旨をＵＥ６０５へと示す。したがって、ＵＥ６０５は、クリアＥＣＣＡを検出するとすぐに、このサブフレームまたはフレームにおいて速やかに送信を開始し得る。
【００６１】
[0069]ＥＣＣＡアライメントに対してより細かい制御を達成するために、本開示のさらなる態様に従って構成される再同期手順は、一部のフレームが再同期手順を使用し得る一方で、他のフレームは使用しないように、フレームごとのやり方で管理され得る。例えば、すでに示したように、ｅＮＢがフレームにおいてただ１つのＵＥをスケジュールする場合、この特定のフレームについてアップリンク再同期手順を実行する必要はないと考えられる。ｅＮＢは、このフレームについてアップリンク再同期手順を省略する指示をＵＥへともたらし得る。
【００６２】
[0070]図８が、本開示の一態様を実現するために実行される例示的なブロックを説明する機能ブロック図である。ブロック８００において、基地局が、免許不要帯域におけるダウンリンク再同期手順についてダウンリンク有効化状態を決定する。基地局は、自身で、または近隣の基地局との協調を通じて、このようなダウンリンク再同期手順を決定および選択し得る。協調は、同じワイヤレスネットワーク事業者によって運営される他の基地局と、例えばＸ２または他のこのようなバックホールリンクを介して行われ得、他のワイヤレスネットワーク事業者からの近隣の基地局とも、例えば他の通信手段を介して行われ得る。また、基地局は、近隣の再同期手順を示す有効化状態メッセージを報知する近隣の基地局からのシステム情報報知メッセージを読み取ることによって特定の再同期手順のための決定も行い得る。ブロック８０１において、基地局は、ダウンリンク有効化状態ならびにノード、フレーム、またはサブフレームについての対応する再同期プロセス構成を特定するダウンリンク状態指示を送信する。
【００６３】
[0071]同様に、基地局は、自身のカバレッジ領域内の動作についてのアップリンク再同期手順も選択することができる。ひとたび選択されると、基地局は、選択された手順を、有効化状態メッセージによって、サーブされるＵＥへと送信する。有効化状態の送信は、サーブされるすべてのＵＥへの報知メッセージによって実行され得、あるいはＵＥ固有のサーチ空間において個々のＵＥに直接送信され得る。
【００６４】
[0072]図９が、本開示の一態様を実現するために実行される典型的なブロックを説明する機能ブロック図である。ブロック９００において、ＵＥが、免許不要帯域のためのアップリンク再同期手順を特定する指示を受信する。指示は、サービング基地局から直接受信され得、あるいはサービング基地局からのシステム情報報知メッセージによって受信され得る。また、指示は、次のフレームまたはサブフレームのためのアップリンク再同期手順を半静的または動的に設定し得る。
【００６５】
[0073]ブロック９０１において、負荷ベースの機器として、ＵＥは、自身のバッファ内に送信準備のできたデータが存在するか否かを決定する。存在しない場合、ＵＥは、バッファ内にデータを検出するまで待機し続ける。バッファ内に送信のためのデータが存在する場合、ブロック９０２において、ＵＥは、免許不要チャネルが送信に利用可能であるか否かを確認するＥＣＣＡチェックを実行する。ブロック９０３において、ＥＣＣＡチェックがクリアであるか否かが決定される。免許不要チャネルにおいて他の伝送が検出された場合、ＵＥは、或る期間だけ待ち、指定されたＥＣＣＡ長についてＥＣＣＡチェックを続ける。他方で、ＥＣＣＡチェックがクリアであると検出された場合、ブロック９０４において、有効な再同期手順によって定められた再同期境界に到達したか否か、もう１つの決定が行われる。否である場合、ブロック９０５において、ＵＥはデータの送信を遅らせる。
【００６６】
[0074]ブロック９０４において、再同期境界に到達した場合、ブロック９０６において、ＵＥは、免許不要チャネルが依然として送信に利用可能であるかどうかを決定するためにＣＣＡチェックを実行する。ＵＥがブロック９０２における成功したＥＣＣＡチェックの実行後に再同期境界を待ってアイドルまたはサイレント期間に入っていることがあり得るので、ＷＩＦＩまたは他の免許不要伝送など、他の送信機が、免許不要チャネルにおいて送信を始めていることがあり得る。ブロック９０７において、ＣＣＡチェックがクリアであると検出されるか否かが決定される。否である場合、ＵＥは送信を行わず、むしろ次の再同期境界における送信のために、ブロック９０２において別のＥＣＣＡチェックを実行し、プロセスを再び開始する。他方で、ブロック９０７においてＣＣＡチェックがクリアとして検出された場合、ＵＥは、ブロック９０８においてバッファ内のデータの送信を開始する。
【００６７】
[0075]当業者であれば、情報および信号が、種々の異なる技術および技法の任意のいずれかを使用して表現され得ることを、理解するであろう。例えば、以上の説明の各所において言及され得るデータ、インストラクション、コマンド、情報、信号、ビット、シンボル、およびチップは、電圧、電流、電磁波、磁界または磁性粒子、光場または光粒子、あるいはこれらの任意の組み合わせによって表され得る。
【００６８】
[0076]図８および９における機能ブロックおよびモジュールは、プロセッサ、電子デバイス、ハードウェア装置、電子部品、論理回路、メモリ、ソフトウェアコード、ファームウェアコード、など、またはこれらの任意の組み合わせを備え得る。
【００６９】
[0077]さらに、本明細書における開示に関連して説明される種々の例示の論理ブロック、モジュール、回路、およびアルゴリズムの各段階が、電子ハードウェア、コンピュータソフトウェア、または両者の組み合わせとして実現され得ることを、当業者であれば理解するであろう。このハードウェアおよびソフトウェアの入れ換え可能性を明確に示すために、種々の例示の構成要素、ブロック、モジュール、回路、および段階は、広くそれらの機能に関して上述されている。このような機能がハードウェアとして実現されるか、あるいはソフトウェアとして実現されるかは、個々の用途およびシステム全体に課される設計上の制約事項に依存する。当業者であれば、上述の機能を各々の個別の用途について種々の方法で実現し得るが、このような実現における決定を、本開示の技術的範囲からの離脱を生じるものと解釈すべきではない。また、当業者であれば、本明細書において説明される構成要素、方法、または相互作用の順序または組み合わせが、あくまでも例にすぎず、本開示の種々の態様の構成要素、方法、または相互作用が、本明細書において例示および説明されるやり方以外のやり方で組み合わせられ、あるいは実行され得ることを、容易に理解するであろう。
【００７０】
[0078]本明細書における開示に関連して説明される種々の例示の論理ブロック、モジュール、および回路は、汎用のプロセッサ、デジタル信号プロセッサ（ＤＳＰ）、特定用途向け集積回路（ＡＳＩＣ）、フィールドプログラマブルゲートアレイ（ＦＰＧＡ）または他のプログラマブルな論理素子、ディスクリートなゲートまたはトランジスタ論理回路、ディスクリートなハードウェアコンポーネント、あるいは本明細書に記載の機能を実行するように設計されたこれらの任意の組み合わせによって実施または実行され得る。汎用のプロセッサは、マイクロプロセッサであり得るが、代案においては、プロセッサは、任意の在来のプロセッサ、コントローラ、マイクロコントローラ、またはステートマシンであり得る。プロセッサは、例えばＤＳＰとマイクロプロセッサとの組み合わせ、複数のマイクロプロセッサ、ＤＳＰコアと併せた１つ以上のマイクロプロセッサ、または任意の他のこのような構成など、コンピュータデバイスの組み合わせとしても実現され得る。
【００７１】
[0079]本明細書における開示に関連して説明される方法またはアルゴリズムの各ステップは、ハードウェア、プロセッサによって実行されるソフトウェアモジュール、または両者の組み合わせにて直接的に具現化され得る。ソフトウェアモジュールは、ＲＡＭメモリ、フラッシュメモリ、ＲＯＭメモリ、ＥＥＰＲＯＭ（登録商標）メモリ、レジスタ、ハードディスク、リムーバブルディスク、ＣＤ−ＲＯＭ、または技術的に公知の任意の他の形態の記憶媒体に存在し得る。典型的な記憶媒体は、プロセッサが記憶媒体からの情報の読み出しおよび記憶媒体への情報の書き込みを行うことができるように、プロセッサに接続さる。代案においては、記憶媒体がプロセッサに一体化され得る。プロセッサおよび記憶媒体は、ＡＳＩＣに存在し得る。ＡＳＩＣは、ユーザ端末に存在し得る。代案においては、プロセッサおよび記憶媒体が、ユーザ端末にディスクリートなコンポーネントとして存在し得る。
【００７２】
[0080]１つ以上の典型的な設計において、説明される機能は、ハードウェア、ソフトウェア、ファームウェア、またはこれらの任意の組み合わせにて実現され得る。ソフトウェアでの実行の場合、これらの機能を、コンピュータ読取可能な媒体において、１つ以上のインストラクションまたはコードとして保存または伝送され得る。コンピュータ読取可能な媒体は、或る場所から別の場所へのコンピュータプログラムの転送を容易にする任意の媒体を含む、コンピュータストレージ媒体および通信媒体の両方を含む。コンピュータ読取可能なストレージ媒体は、汎用または専用のコンピュータによってアクセスすることができる任意の利用可能な媒体であり得る。例として、これらに限られるわけではないが、このようなコンピュータ読取可能な媒体は、ＲＡＭ、ＲＯＭ、ＥＥＰＲＯＭ、ＣＤ−ＲＯＭまたは他の光ディスク記憶デバイス、磁気ディスク記憶デバイスまたは他の磁気記憶デバイス、あるいは所望のプログラムコードをインストラクションまたはデータ構造の形態で保持または記憶するために使用することができ、汎用または専用のコンピュータ、あるいは汎用または専用のプロセッサによるアクセスが可能である任意の他の媒体を備えることができる。また、接続も、コンピュータ読取可能媒体と妥当に称され得る。例えば、ソフトウェアがウェブサイト、サーバ、または他の遠方のソースから同軸ケーブル、光ファイバケーブル、対より線、またはデジタル加入者線（ＤＳＬ）を使用して伝送される場合、同軸ケーブル、光ファイバケーブル、対より線、またはＤＳＬは、媒体の定義に含まれる。本明細書において使用されるとき、ディスク（ｄｉｓｋ  ａｎｄ  ｄｉｓｃ）は、コンパクトディスク（ＣＤ）、レーザーディスク（登録商標）、光ディスク、デジタル多用途ディスク（ＤＶＤ）、フロッピー（登録商標）ディスク、およびｂｌｕ−ｒａｙ（登録商標）ディスクを含み、ここでディスク（ｄｉｓｋ）が、通常はデータを磁気的に再生する一方で、ディスク（ｄｉｓｃ）は、データをレーザで光学的に再生する。上記の組み合わせもまた、コンピュータ読取可能媒体の範囲内に含まれるべきである。
【００７３】
[0081]特許請求の範囲も含め、本明細書において使用されるとき、用語「および／または（ａｎｄ／ｏｒ）」は、２つ以上のアイテムの列挙において使用される場合、列挙されたアイテムのうちの任意の１つを単独で採用でき、あるいは列挙されたアイテムのうちの２つ以上からなる任意の組み合わせを採用できることを意味する。例えば、或る組成が構成要素Ａ、Ｂ、および／またはＣを含むと記載される場合、この組成は、Ａだけ、Ｂだけ、Ｃだけ、ＡとＢとの組み合わせ、ＡとＣとの組み合わせ、ＢとＣとの組み合わせ、またはＡとＢとＣとの組み合わせを含むことができる。また、特許請求の範囲も含め、本明細書において使用されるとき、アイテムの列挙（例えば、「・・・のうちの少なくとも１つ（ａｔ  ｌｅａｓｔ  ｏｎｅ  ｏｆ）」または「・・・のうちの１つ以上（ｏｎｅ  ｏｒ  ｍｏｒｅ  ｏｆ）」などの表現を伴うアイテムの列挙）に用いられるときの「または（ｏｒ）」は、選言的列挙（ｄｉｓｊｕｎｃｔｉｖｅ  ｌｉｓｔ）を表し、したがって例えば「Ａ、Ｂ、またはＣのうちの少なくとも１つ」という列挙は、ＡまたはＢまたはＣまたはＡＢまたはＡＣまたはＢＣまたはＡＢＣ（すなわち、ＡおよびＢおよびＣ）を意味する。
【００７４】
[0082]本開示のこれまでの説明は、本開示の製作または使用を当業者にとって可能にするために提示されている。本開示の種々の変更が、当業者にとって容易に明らかであり、本明細書に定められる全体的な原理は、本開示の技術的思想または技術的範囲から離れることなく他の変種にも適用され得る。したがって、本開示は、本明細書に記載の例および設計に限られるものではなく、本明細書に開示の原理および新規な特徴に矛盾しない最も広い範囲が与えられるべきである。
【図１】
2020113999.tif 000003
【図２Ａ】
2020113999.tif 000004
【図２Ｂ】
2020113999.tif 000005
【図３】
2020113999.tif 000006
【図４】
2020113999.tif 000007
【図５】
2020113999.tif 000008
【図６】
2020113999.tif 000009
【図７】
2020113999.tif 000010
【図８】
2020113999.tif 000011
【図９】
2020113999.tif 000012
【手続補正書】
【提出日】令和2年4月13日(2020.4.13)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
ユーザ機器（ＵＥ）において、免許不要帯域において使用するためのアップリンク再同期手順を特定する指示を受信することと、
前記ＵＥによって、送信のためのデータを検出したことに応答して、拡張クリアチャネル判定（ＥＣＣＡ）チェックを実行することと、
前記ＵＥによって、前記アップリンク再同期手順において定められる再同期境界よりも前に前記ＥＣＣＡチェックを成功裏に完了したことに応答して、送信を遅らせることと、
前記ＵＥによって、前記再同期境界に先立つサブフレームにおいて、クリアチャネル判定（ＣＣＡ）チェックを実行することと、
前記ＵＥによって、前記ＣＣＡチェックを成功裏に完了したことに応答して、前記再同期境界において始まる前記データを送信することと、
を備える方法。
【手続補正２】
【補正対象書類名】明細書
【補正対象項目名】００７４
【補正方法】変更
【補正の内容】
【００７４】
[0082]本開示のこれまでの説明は、本開示の製作または使用を当業者にとって可能にするために提示されている。本開示の種々の変更が、当業者にとって容易に明らかであり、本明細書に定められる全体的な原理は、本開示の技術的思想または技術的範囲から離れることなく他の変種にも適用され得る。したがって、本開示は、本明細書に記載の例および設計に限られるものではなく、本明細書に開示の原理および新規な特徴に矛盾しない最も広い範囲が与えられるべきである。
以下に本願の出願当初の特許請求の範囲に記載された発明を付記する。
［Ｃ１］  ワイヤレス通信の方法であって、
ユーザ機器（ＵＥ）において、免許不要帯域において使用するためのアップリンク再同期手順を特定する指示を受信することと、
前記ＵＥによって、送信のためのデータを検出したことに応答して、拡張クリアチャネル判定（ＥＣＣＡ）チェックを実行することと、
前記ＵＥによって、前記アップリンク再同期手順において定められる再同期境界よりも前に前記ＥＣＣＡチェックを成功裏に完了したことに応答して、送信を遅らせることと、
前記ＵＥによって、前記再同期境界に先立つサブフレームにおいて、クリアチャネル判定（ＣＣＡ）チェックを実行することと、
前記ＵＥによって、前記ＣＣＡチェックを成功裏に完了したことに応答して、前記再同期境界において始まる前記データを送信することと、
を備える方法。
［Ｃ２］  前記指示は、フレームまたはサブフレームのうちの一方に関する前記アップリンク再同期手順の使用を示す、Ｃ１に記載の方法。
［Ｃ３］  前記指示は、
システム報知メッセージを通じて、
半静的なシグナリングを通じて、または
動的なシグナリングを通じて
のうちの１つで受信される、Ｃ１に記載の方法。
［Ｃ４］  前記指示は、ＵＥ固有のサーチ空間を通じて受信される、Ｃ１に記載の方法。
［Ｃ５］  前記ＵＥによって、前記指示の受信後に後続のフレームにおいて後続の状態指示を受信すること、ここにおいて、前記後続の状態指示は、前記アップリンク再同期手順の非アクティブ化を示す、
をさらに含む、Ｃ１に記載の方法。
［Ｃ６］  前記指示は、単一のフレーム内に２つ以上の再同期境界を有する前記アップリンク再同期手順の構成に対応する、Ｃ１に記載の方法。
［Ｃ７］  前記アップリンク再同期手順の前記構成は、前記ＵＥへと関連付けられて割り当てられたアップリンク／ダウンリンクサブフレーム構成に対応する、Ｃ６に記載の方法。
［Ｃ８］  前記ＵＥによって、第１のアップリンクサブフレームの後の前記単一のフレーム内に定められた１つ以上の再同期境界に先立つ所定の持続時間について送信を控えるように前記ＵＥに示すアイドル指示を受信すること、
をさらに含む、Ｃ６に記載の方法。
［Ｃ９］  ワイヤレス通信のために構成された装置であって、
ユーザ機器（ＵＥ）において、免許不要帯域において使用するためのアップリンク再同期手順を特定する指示を受信するための手段と、
前記ＵＥによって、送信のためのデータを検出したことに応答して、拡張クリアチャネル判定（ＥＣＣＡ）チェックを実行するための手段と、
前記ＵＥによって、前記アップリンク再同期手順において定められる再同期境界よりも前に前記ＥＣＣＡチェックを成功裏に完了したことに応答して、送信を遅らせるための手段と、
前記ＵＥによって、前記再同期境界に先立つサブフレームにおいて、クリアチャネル判定（ＣＣＡ）チェックを実行するための手段と、
前記ＵＥによって、前記ＣＣＡチェックを成功裏に完了したことに応答して、前記再同期境界において始まる前記データを送信するための手段と、
を備える装置。
［Ｃ１０］  前記指示は、フレームまたはサブフレームのうちの一方に関する前記アップリンク再同期手順の使用を示す、Ｃ９に記載の装置。
［Ｃ１１］  前記指示は、
システム報知メッセージを通じて、
半静的なシグナリングを通じて、または
動的なシグナリングを通じて
のうちの１つで受信される、Ｃ９に記載の装置。
［Ｃ１２］  前記指示は、ＵＥ固有のサーチ空間を通じて受信される、Ｃ９に記載の装置。
［Ｃ１３］  前記ＵＥによって、前記指示を受信するための手段の後に後続のフレームにおいて後続の状態指示を受信するための手段、ここにおいて、前記後続の状態指示は、前記アップリンク再同期手順の非アクティブ化を示す、
をさらに含む、Ｃ９に記載の装置。
［Ｃ１４］  前記指示は、単一のフレーム内に２つ以上の再同期境界を有する前記アップリンク再同期手順の構成に対応する、Ｃ９に記載の装置。
［Ｃ１５］  プログラムコードが記録された非一時的なコンピュータ読取可能な媒体であって、
前記プログラムコードは、
コンピュータに、ユーザ機器（ＵＥ）において、免許不要帯域において使用するためのアップリンク再同期手順を特定する指示を受信させるためのプログラムコードと、      前記コンピュータに、前記ＵＥによって、送信のためのデータを検出したことに応答して、拡張クリアチャネル判定（ＥＣＣＡ）チェックを実行させるためのプログラムコードと、
前記コンピュータに、前記ＵＥによって、前記アップリンク再同期手順において定められる再同期境界よりも前に前記ＥＣＣＡチェックを成功裏に完了したことに応答して、送信の遅延を生じさせるためのプログラムコードと、
前記コンピュータに、前記ＵＥによって、前記再同期境界に先立つサブフレームにおいて、クリアチャネル判定（ＣＣＡ）チェックを実行させるためのプログラムコードと、
前記コンピュータに、前記ＵＥによって、前記ＣＣＡチェックを成功裏に完了したことに応答して、前記再同期境界において始まる前記データを送信させるためのプログラムコードと、
を備える、非一時的なコンピュータ読取可能な媒体。
［Ｃ１６］  前記指示は、フレームまたはサブフレームのうちの一方に関する前記アップリンク再同期手順の使用を示す、Ｃ１５に記載の非一時的なコンピュータ読取可能な媒体。
［Ｃ１７］  前記指示は、
システム報知メッセージを通じて、
半静的なシグナリングを通じて、または
動的なシグナリングを通じて
のうちの１つで受信される、Ｃ１５に記載の非一時的なコンピュータ読取可能な媒体。
［Ｃ１８］  前記指示は、ＵＥ固有のサーチ空間を通じて受信される、Ｃ１５に記載の非一時的なコンピュータ読取可能な媒体。
［Ｃ１９］  前記コンピュータに、前記ＵＥによって、前記指示の受信後に後続のフレームにおいて後続の状態指示を受信させるためのプログラムコード、ここにおいて、前記後続の状態指示は、前記アップリンク再同期手順の非アクティブ化を示す、
をさらに含む、Ｃ１５に記載の非一時的なコンピュータ読取可能な媒体。
［Ｃ２０］  前記指示は、単一のフレーム内に２つ以上の再同期境界を有する前記アップリンク再同期手順の構成に対応する、Ｃ１５に記載の非一時的なコンピュータ読取可能な媒体。
［Ｃ２１］  前記アップリンク再同期手順の前記構成は、前記ＵＥへと関連付けられて割り当てられたアップリンク／ダウンリンクサブフレーム構成に対応する、Ｃ２０に記載の非一時的なコンピュータ読取可能な媒体。
［Ｃ２２］  前記コンピュータに、前記ＵＥによって、第１のアップリンクサブフレームの後の前記単一のフレーム内に定められた１つ以上の再同期境界に先立つ所定の持続時間について送信を控えるように前記ＵＥに示すアイドル指示を受信させるためのプログラムコード、
をさらに含む、Ｃ２０に記載の非一時的なコンピュータ読取可能な媒体。
［Ｃ２３］  ワイヤレス通信のために構成された装置であって、
少なくとも１つのプロセッサと、
前記少なくとも１つのプロセッサに接続されたメモリと
を備えており、
ここにおいて、前記少なくとも１つのプロセッサは、
ユーザ機器（ＵＥ）において、免許不要帯域において使用するためのアップリンク再同期手順を特定する指示を受信し、
前記ＵＥによって、送信のためのデータを検出したことに応答して、拡張クリアチャネル判定（ＥＣＣＡ）チェックを実行し、
前記ＵＥによって、前記アップリンク再同期手順において定められる再同期境界よりも前に前記ＥＣＣＡチェックを成功裏に完了したことに応答して、送信を遅らせ、
前記ＵＥによって、前記再同期境界に先立つサブフレームにおいて、クリアチャネル判定（ＣＣＡ）チェックを実行し、
前記ＵＥによって、前記ＣＣＡチェックを成功裏に完了したことに応答して、前記再同期境界において始まる前記データを送信する、
ように構成されている、装置。
［Ｃ２４］  前記指示は、フレームまたはサブフレームのうちの一方に関する前記アップリンク再同期手順の使用を示す、Ｃ２３に記載の装置。
［Ｃ２５］  前記指示は、
システム報知メッセージを通じて、
半静的なシグナリングを通じて、または
動的なシグナリングを通じて
のうちの１つで受信される、Ｃ２３に記載の装置。
［Ｃ２６］  前記指示は、ＵＥ固有のサーチ空間を通じて受信される、Ｃ２３に記載の装置。
［Ｃ２７］  前記ＵＥによって、前記指示の受信後に後続のフレームにおいて後続の状態指示を受信するための前記少なくとも１つのプロセッサの構成、ここにおいて、前記後続の状態指示は、前記アップリンク再同期手順の非アクティブ化を示す、
をさらに含む、Ｃ２３に記載の装置。
［Ｃ２８］  前記指示は、単一のフレーム内に２つ以上の再同期境界を有する前記アップリンク再同期手順の構成に対応する、Ｃ２３に記載の装置。
［Ｃ２９］  前記アップリンク再同期手順の前記構成は、前記ＵＥへと関連付けられて割り当てられたアップリンク／ダウンリンクサブフレーム構成に対応する、Ｃ２８に記載の装置。
［Ｃ３０］  前記ＵＥによって、第１のアップリンクサブフレームの後の前記単一のフレーム内に定められた１つ以上の再同期境界に先立つ所定の持続時間について送信を控えるように前記ＵＥに示すアイドル指示を受信するための前記少なくとも１つのプロセッサの構成、
をさらに含む、Ｃ２８に記載の装置。
【外国語明細書】
2020113999000001.pdf